(57)【要約】【課題】構造の簡略化及び組立作業性の向上が図れたコネクタ及びコネクタの製造方法を提供すること。【解決手段】プリント回路基板１に実装されて相手側コネクタに接続されるコネクタ１０であって、プリント回路基板１に固定されることでプリント回路基板１に対して平行となる複数の電力用端子挿通孔３１が並列に形成されたハウジング２０と、電力用端子挿通孔３１に挿し込まれてハウジング２０に支持される接続部４３を有し、ハウジング２００の相手側コネクタとの接続側と反対側にプリント回路基板１に配線される脚部４１が形成された複数のＬ字状の電力用端子４０と、を備え、電力用端子４０のうちの少なくとも一つは、接続部４３の長さが短くされたアンテナ用端子５０とされている。【選択図】図１
2020161373.tif 000002
【特許請求の範囲】
【請求項１】
プリント回路基板に実装され相手側コネクタに接続されるコネクタであって、
前記プリント回路基板に固定され前記プリント回路基板に対して平行となる複数の端子挿通孔が並列に形成されたハウジングと、
前記端子挿通孔に挿し込まれて前記ハウジングに支持される接続部を有し、前記ハウジングの前記相手側コネクタとの接続側と反対側に前記プリント回路基板に配線される脚部が形成された複数のＬ字状の端子と、
を備え、
前記端子のうちの少なくとも一つは、前記接続部の長さが前記相手側コネクタに接続される端子の前記接続部の長さよりも短くされたアンテナ用端子とされている
ことを特徴とするコネクタ。
【請求項２】
前記端子は、前記接続部が前記ハウジングにおける前記相手側コネクタとの接続面から延在する接続端部を有し、
前記アンテナ用端子は、前記接続部が前記ハウジングにおける前記相手側コネクタとの接続側へ延在することなく前記ハウジングに支持されている
ことを特徴とする請求項１に記載のコネクタ。
【請求項３】
前記ハウジングの前記端子挿通孔は、前記アンテナ用端子を含むいずれの前記端子の前記接続部が挿し込み可能とされている
ことを特徴とする請求項１または請求項２に記載のコネクタ。
【請求項４】
導電性金属材料からなる棒状体を屈曲させて接続部と脚部とを有する複数の端子を形成する端子作製工程と、
前記接続部を挿し込み可能な複数の端子挿通孔が並列に形成されたハウジングに対して、前記端子の前記脚部を同一方向に揃えて前記端子の前記接続部を前記端子挿通孔に同一方向へ向かって挿し込み、前記接続部の先端側を前記ハウジングから突出させる端子組付け工程と、
少なくとも一つの前記端子における前記ハウジングから突出した前記接続部の先端側を切断してアンテナ用端子とする端子切断工程と、
を含む
ことを特徴とするコネクタの製造方法。
【発明の詳細な説明】
【技術分野】
【０００１】
本発明は、コネクタ及びコネクタの製造方法に関する。
【背景技術】
【０００２】
特許文献１には、無線受信機能を備えた電気接続箱として、金属製のアンテナを、プリント回路基板に実装されたコネクタのハウジングの上壁と側壁に跨って延設させた状態で、ハウジングに固定させることで、コネクタのハウジングの上壁や側壁をアンテナの配置領域とすることが記載されている。
【０００３】
また、特許文献２には、プリント回路基板に電力供給等のために取り付けたコネクタの接続端子の一つを空き端子とし、この空き端子をアンテナとして利用して、受信した受信信号を導体パターン、延長コイル等を介して受信機に供給するアンテナ構造について記載されている。このように、コネクタの空き端子をアンテナとして用いれば、専用のアンテナを別個に備えるよりも、部品点数を少なくでき、構造の簡略化及び組立作業性の向上が図れる。
【先行技術文献】
【特許文献】
【０００４】
【特許文献１】特開２０１８−１４８４４８号公報
【特許文献２】特開平８−２２２９２４号公報
【発明の概要】
【発明が解決しようとする課題】
【０００５】
ところで、プリント回路基板に取り付けたコネクタの空き端子を送信用のアンテナとして用いることも考えられるが、単にコネクタの空き端子に信号線を接続して送信用のアンテナとして用いると、この端子に外部から電線を直接接続するなどの方法により送信電波の強度が上がるため、電波法違反の状態となるおそれがある。
【０００６】
本発明は、上述した事情に鑑みてなされたものであり、その目的は、構造の簡略化及び組立作業性の向上が図れたコネクタ及びコネクタの製造方法を提供することにある。
【課題を解決するための手段】
【０００７】
前述した目的を達成するために、本発明に係るコネクタ及びコネクタの製造方法は、下記（１）〜（４）を特徴としている。
（１）  プリント回路基板に実装され相手側コネクタに接続されるコネクタであって、
前記プリント回路基板に固定され前記プリント回路基板に対して平行となる複数の端子挿通孔が並列に形成されたハウジングと、
前記端子挿通孔に挿し込まれて前記ハウジングに支持される接続部を有し、前記ハウジングの前記相手側コネクタとの接続側と反対側に前記プリント回路基板に配線される脚部が形成された複数のＬ字状の端子と、
を備え、
前記端子のうちの少なくとも一つは、前記接続部の長さが前記相手側コネクタに接続される端子の前記接続部の長さよりも短くされたアンテナ用端子とされている
ことを特徴とするコネクタ。
【０００８】
（２）  前記端子は、前記接続部が前記ハウジングにおける前記相手側コネクタとの接続面から延在する接続端部を有し、
前記アンテナ用端子は、前記接続部が前記ハウジングにおける前記相手側コネクタとの接続側へ延在することなく前記ハウジングに支持されている
ことを特徴とする（１）に記載のコネクタ。
【０００９】
（３）  前記ハウジングの前記端子挿通孔は、前記アンテナ用端子を含むいずれの前記端子の前記接続部が挿し込み可能とされている
ことを特徴とする（１）または（２）に記載のコネクタ。
【００１０】
（４）  導電性金属材料からなる棒状体を屈曲させて接続部と脚部とを有する複数の端子を形成する端子作製工程と、
前記接続部を挿し込み可能な複数の端子挿通孔が並列に形成されたハウジングに対して、前記端子の前記脚部を同一方向に揃えて前記端子の前記接続部を前記端子挿通孔に同一方向へ向かって挿し込み、前記接続部の先端側を前記ハウジングから突出させる端子組付け工程と、
少なくとも一つの前記端子における前記ハウジングから突出した前記接続部の先端側を切断してアンテナ用端子とする端子切断工程と、
を含む
ことを特徴とするコネクタの製造方法。
【００１１】
上記（１）の構成のコネクタによれば、接続部がハウジングの端子挿通孔に挿し込まれて組付けられた複数の端子のうちの少なくとも一つを、接続部の長さが短くされたアンテナ用端子としたことで、このアンテナ用端子をアンテナとした無線通信を行うことができる。したがって、別個に作製したアンテナを備える場合と比べて、構造の簡略化及び組立作業性を向上させることができる。また、アンテナ用端子は、他の端子よりも接続部の長さが短くされているので、単に他の不使用の端子をアンテナとして用いた場合に、当該端子に電線を接続し送信電波の強度を上げるなどの行為が実行されることを抑制できる。つまり、電波法を準拠しつつ、構造の簡略化及び組立作業性の向上を図ることができる。
【００１２】
上記（２）の構成のコネクタによれば、アンテナ用端子は、他の端子と比較して相手側コネクタとの接続側へ延在する接続端部がない点のみが差異であるので、他の端子から容易に作製することができる。これにより、汎用性を高めることができ、しかも、製造コストを削減することができる。また、相手側コネクタとの接続側へ延在する接続端子部がないので、相手側コネクタの端子が誤って接続されることもない。
【００１３】
上記（３）の構成のコネクタによれば、端子挿通孔の共通化により、汎用性を高めることができる。
【００１４】
上記（４）の構成のコネクタの製造方法によれば、作製した共通の端子をハウジングに組付け、少なくとも一つの端子の接続部の先端部を切断してアンテナ用端子とする。したがって、作製する端子の共通化により、例えば、端子を加工するための金型を共通化して製造コストを削減することができる。そして、この製造方法で製造されたコネクタでは、別個に作製したアンテナを備える場合と比べて、構造の簡略化及び組立作業性を向上させることができる。また、アンテナ用端子は、他の端子よりも接続部の長さが短くされているので、端子に外部から電線を接続しアンテナからの送信電波の強度を必要以上に上げるなどの行為を抑制できる。
【発明の効果】
【００１５】
本発明によれば、電波法を準拠しつつ、構造の簡略化及び組立作業性の向上が図れたコネクタ及びコネクタの製造方法を提供できる。
【００１６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１７】
【図１】図１は、プリント回路基板に実装された本実施形態に係るコネクタの斜視図である。
【図２】図２は、プリント回路基板に実装された本実施形態に係るコネクタの側面図である。
【図３】図３は、コネクタを構成するハウジングを示す図であって、図３（ａ）は正面図、図３（ｂ）は側面図である。
【図４】図４は、電力用端子を示す図であって、図４（ａ）は正面図、図４（ｂ）は側面図である。
【図５】図５は、アンテナ用端子を示す図であって、図５（ａ）は正面図、図５（ｂ）は側面図である。
【図６】図６は、信号用端子を示す図であって、図６（ａ）は正面図、図６（ｂ）は側面図である。
【図７】図７は、電力用端子及びアンテナ用端子の作製手順を示す図であって、図７（ａ）〜図７（ｃ）は、それぞれ作製途中における側面図である。
【図８】図８は、信号用端子の作製手順を示す図であって、図８（ａ）及び図８（ｂ）は、それぞれ作製途中における側面図である。
【図９】図９は、端子組付け工程を示す図であって、図９（ａ）〜図９（ｃ）は、それぞれ作製途中における側面図である。
【図１０】図１０は、他の端子組付け工程を示す図であって、図１０（ａ）〜図１０（ｃ）は、それぞれ作製途中における側面図である。
【発明を実施するための形態】
【００１８】
本発明に関する具体的な実施形態について、各図を参照しながら以下に説明する。
【００１９】
図１は、プリント回路基板１に実装された本実施形態に係るコネクタの斜視図である。図２は、プリント回路基板１に実装された本実施形態に係るコネクタの側面図である。
【００２０】
図１及び図２に示すように、本実施形態に係るコネクタ１０は、ハウジング２０と、電力用端子４０と、アンテナ用端子５０と、信号用端子６０と、を備えている。ハウジング２０は、絶縁性を有する合成樹脂により成形されている。電力用端子４０、アンテナ用端子５０及び信号用端子６０は、例えば、銅、銅合金、アルミニウムあるいはアルミニウム合金等の導電性金属材料により形成されている。
【００２１】
コネクタ１０は、プリント回路基板１に実装されて通信機器を構成する。プリント回路基板１は、導体パターン（図示略）を有しており、この導体パターンによって送受信回路が形成されている。プリント回路基板１にコネクタ１０が実装された通信機器は、例えば、Ｂｌｕｅｔｏｏｔｈ（登録商標）やＷｉＦｉ（登録商標）などの各種の無線通信規格に基づいて他の機器との間で電波を送受信して通信する。
【００２２】
図３は、コネクタ１０を構成するハウジング２０を示す図であって、図３（ａ）は正面図、図３（ｂ）は側面図である。
図３（ａ）及び図３（ｂ）に示すように、ハウジング２０は、底面２１、上面２３、前面２５、後面２７及び両側面２９を有する直方体形状に形成されている。ハウジング２０は、底面２１がプリント回路基板１に固定される。ハウジング２０は、複数の電力用端子挿通孔３１と、複数の信号用端子挿通孔３３とを有している。これらの電力用端子挿通孔３１及び信号用端子挿通孔３３は、ハウジング２０がプリント回路基板１に固定された状態で、プリント回路基板１に対して平行となるように並列に形成されている。これらの電力用端子挿通孔３１及び信号用端子挿通孔３３は、ハウジング２０を前後に貫通する孔部からなるもので、前面２５及び後面２７で開口されている。ハウジング２０の前面２５には、前方へ突出する端子台３５が形成されており、電力用端子挿通孔３１及び信号用端子挿通孔３３は、それぞれ端子台３５で開口されている。
【００２３】
図４は、電力用端子４０を示す図であって、図４（ａ）は正面図、図４（ｂ）は側面図である。
図４（ａ）及び図４（ｂ）に示すように、電力用端子４０は、断面視矩形状の棒状に形成されており、脚部４１と、接続部４３と、を有している。脚部４１は、先端へ向かって窄まる先細り形状に形成されている。電力用端子４０は、脚部４１に対して接続部４３が略直交する方向に延在するＬ字状に形成されている。
【００２４】
図５は、アンテナ用端子５０を示す図であって、図５（ａ）は正面図、図５（ｂ）は側面図である。
図５（ａ）及び図５（ｂ）に示すように、アンテナ用端子５０は、脚部５１と、接続部５３と、を有している。脚部５１は、先端へ向かって窄まる先細り形状に形成されている。アンテナ用端子５０は、脚部５１に対して接続部５３が略直交する方向に延在するＬ字状に形成されている。このアンテナ用端子５０は、電力用端子４０の接続部４３を切断したもので、接続部５３は、接続部４３の一部である。
【００２５】
図６は、信号用端子６０を示す図であって、図６（ａ）は正面図、図６（ｂ）は側面図である。
図６（ａ）及び図６（ｂ）に示すように、信号用端子６０は、電力用端子４０及びアンテナ用端子５０よりも細い断面視矩形状の棒状に形成されており、脚部６１と、接続部６３と、を有している。信号用端子６０は、脚部６１に対して接続部６３が略直交する方向に延在するＬ字状に形成されている。
【００２６】
図１及び図２に示すように、ハウジング２０の電力用端子挿通孔３１には、電力用端子４０の接続部４３が、脚部４１を下方側へ向けた状態で挿し込まれている。そして、電力用端子４０の接続部４３は、ハウジング２０の前面２５の端子台３５の端面から規定長さＬだけ延在している。この電力用端子４０は、接続部４３におけるハウジング２０の前面２５の端子台３５から延在する部分が、接続端部４３ａとなっている。
【００２７】
また、ハウジング２０の一つの電力用端子挿通孔３１には、アンテナ用端子５０の接続部５３が、脚部５１を下方へ向けた状態で挿し込まれている。そして、このアンテナ用端子５０は、その接続部５３の端部がハウジング２０の前面２５の端子台３５の端面と略同一位置に配置されている。
【００２８】
ハウジング２０の信号用端子挿通孔３３には、信号用端子６０の接続部６３が、脚部６１を下方側へ向けた状態で挿し込まれている。そして、信号用端子６０の接続部６３は、ハウジング２０の前面２５の端子台３５の端面から規定長さＬだけ延在している。この信号用端子６０は、接続部６３におけるハウジング２０の前面２５の端子台３５から延在する部分が、接続端部６３ａとなっている。また、信号用端子６０は、その脚部６１が、電力用端子４０及びアンテナ用端子５０の脚部４１，５１よりもハウジング２０側に配置されている。
【００２９】
このように、ハウジング２０に、電力用端子４０、アンテナ用端子５０及び信号用端子６０が組付けられたコネクタ１０は、プリント回路基板１の実装面１ａに実装される。例えば、ハウジング２０は、プリント回路基板１にネジ等によって固定される。また、電力用端子４０、アンテナ用端子５０及び信号用端子６０は、それぞれの脚部４１，５１，６１がプリント回路基板１に形成されたスルーホール（図示略）に挿し込まれ、ハンダ３によって導体パターンの一部であるランド部にハンダ付けされる。これにより、電力用端子４０、アンテナ用端子５０及び信号用端子６０が、プリント回路基板１の導体パターンからなる電力線、アンテナ線及び信号線にそれぞれ導通されて通信機器が構成される。
【００３０】
この通信機器では、コネクタ１０のハウジング２０の前面２５側に、相手側コネクタ（図示略）が接続され、電力用端子４０の接続端部４３ａ及び信号用端子６０の接続端部６３ａが、相手側コネクタの電力用端子及び信号用端子と電気的に接続され、電力供給及び信号の送受信が可能となっている。また、通信機器では、アンテナ用端子５０によって、外部の通信機器との間での電波の送受信による無線通信が可能となっている。
【００３１】
このように、上記構造のコネクタ１０によれば、接続部４３がハウジング２０の電力用端子挿通孔３１に挿し込まれて組付けられた複数の電力用端子４０のうちの一つを、長さが短い接続部５３を有するアンテナ用端子５０としたことで、このアンテナ用端子５０をアンテナとして無線通信させることができる。したがって、別個に作製したアンテナを備える場合と比べて、構造の簡略化及び組立作業性を向上させることができる。また、アンテナ用端子５０は、他の電力用端子４０よりも接続部４３の長さが短くされているので、単に他の不使用の電力用端子４０をアンテナとして用いた場合に電線を接続するなどの手段により送信電波の強度が電波法で定められている上限を超えて上がり過ぎることを抑制できる。つまり、電波法を準拠しつつ、構造の簡略化及び組立作業性の向上を図ることができる。
【００３２】
また、アンテナ用端子５０は、他の電力用端子４０と比較して相手側コネクタとの接続側へ延在する接続端部４３ａがない点のみが差異であるので、他の電力用端子４０から容易に作製することができる。これにより、汎用性を高めることができ、しかも、製造コストを削減することができる。また、相手側コネクタとの接続側へ延在する接続端部４３ａがないので、相手側コネクタの端子が誤って接続されることも防止できる。
【００３３】
しかも、ハウジング２０の電力用端子挿通孔３１は、アンテナ用端子５０を含むいずれの電力用端子４０の接続部４３が挿し込み可能となっている。したがって、電力用端子挿通孔３１の共通化により、汎用性を高めることができる。
【００３４】
次に、本実施形態に係るコネクタ１０の製造方法について説明する。
図７は、電力用端子４０及びアンテナ用端子５０の作製手順を示す図であって、図７（ａ）〜図７（ｃ）は、それぞれ作製途中における側面図である。図８は、信号用端子の作製手順を示す図であって、図８（ａ）及び図８（ｂ）は、それぞれ作製途中における側面図である。図９は、端子組付け工程を示す図であって、図９（ａ）〜図９（ｃ）は、それぞれ作製途中における側面図である。
【００３５】
（端子作製工程）
電力用端子４０を作製するには、図７（ａ）に示すように、電力用端子４０となる端子用棒体４０Ａを形成する。この端子用棒体４０Ａは、長尺の線材を切断したものでもよく、また、金属板に対して打抜き加工して形成してもよい。次に、図７（ｂ）に示すように、端子用棒体４０ＡをＬ字状に屈曲し、脚部４１及び接続部４３を有する電力用端子４０に加工する。
【００３６】
アンテナ用端子５０は、電力用端子４０を加工して作製する。具体的には、図７（ｃ）に示すように、電力用端子４０の接続部４３を切断して接続端部４３ａとなる部分を除去する。
【００３７】
信号用端子６０を作製するには、図８（ａ）に示すように、信号用端子６０となる端子用棒体６０Ａを形成する。この端子用棒体６０Ａは、長尺の線材を切断したものでもよく、また、金属板に対して打抜き加工して形成してもよい。次に、図８（ｂ）に示すように、端子用棒体６０ＡをＬ字状に屈曲し、脚部６１及び接続部６３を有する信号用端子６０に加工する。
【００３８】
（端子組付け工程）
ハウジング２０に対して、まず、信号用端子６０を組付ける。具体的には、図９（ａ）に示すように、ハウジング２０の後面２７側から、信号用端子挿通孔３３に、脚部６１を下方側へ向けた状態で信号用端子６０の接続部６３を挿し込んで圧入する。そして、図９（ｂ）に示すように、信号用端子６０の接続部６３をハウジング２０の前面２５の端子台３５から規定長さＬだけ突出させる。これにより、信号用端子６０の接続部６３は、ハウジング２０の前面２５の端子台３５から突出した部分が接続端部６３ａとされる。
【００３９】
次に、ハウジング２０に対して、電力用端子４０を組付ける。具体的には、図９（ｂ）に示すように、ハウジング２０の後面２７側から、電力用端子挿通孔３１に、脚部４１を下方側へ向けた状態で電力用端子４０の接続部４３を挿し込んで圧入する。そして、図９（ｃ）に示すように、電力用端子４０の接続部４３をハウジング２０の前面２５の端子台３５から規定長さＬだけ突出させる。これにより、電力用端子４０の接続部４３は、ハウジング２０の前面２５の端子台３５から突出した部分が接続端部４３ａとされる。
【００４０】
その後、ハウジング２０に対して、アンテナ用端子５０を組付ける。具体的には、図９（ｃ）に示すように、ハウジング２０の後面２７側から、電力用端子挿通孔３１に、脚部５１を下方側へ向けた状態でアンテナ用端子５０の接続部５３を挿し込んで圧入する。このとき、アンテナ用端子５０の接続部５３の端面がハウジング２０の前面２５の端子台３５の端面に対して面一となるように電力用端子挿通孔３１に接続部５３を挿し込む。
【００４１】
上記工程により、無線通信のためのアンテナの機能を備えたコネクタ１０を容易に製造することができる。なお、ハウジング２０に対する電力用端子４０、アンテナ用端子５０及び信号用端子６０の組付け順は、上記の例に限らない。また、アンテナ用端子５０の接続部５３の端面は、ハウジング２０の前面２５の端子台３５の端面に対して、僅かに突出した位置に配置してもよく、また、僅かに引き込んだ位置に配置してもよい。
【００４２】
次に、コネクタ１０の他の製造方法について説明する。
図１０は、他の端子組付け工程を示す図であって、図１０（ａ）〜図１０（ｃ）は、それぞれ作製途中における側面図である。
【００４３】
（端子作製工程）
端子用棒体４０Ａを作製し、この端子用棒体４０ＡをＬ字状に屈曲して脚部４１及び接続部４３を有する電力用端子４０に加工する（図７（ａ）及び図７（ｂ）参照）。このとき、後の工程でアンテナ用端子５０となる電力用端子４０も作製しておく。さらに、端子用棒体６０Ａを作製し、この端子用棒体６０ＡをＬ字状に屈曲して脚部６１及び接続部６３を有する信号用端子６０に加工する（図８（ａ）及び図８（ｂ）参照）。
【００４４】
（端子組付け工程）
図１０（ａ）に示すように、ハウジング２０の後面２７側から、信号用端子挿通孔３３に、脚部６１を下方側へ向けた状態で信号用端子６０の接続部６３を挿し込んで圧入する。そして、図１０（ｂ）に示すように、信号用端子６０の接続部６３をハウジング２０の前面２５の端子台３５から規定長さＬだけ突出させ、端子台３５から突出した部分を接続端部６３ａとする。
【００４５】
次に、ハウジング２０の後面２７側から、電力用端子挿通孔３１に、脚部４１を下方側へ向けた状態で電力用端子４０の接続部４３を挿し込んで圧入する。そして、図１０（ｃ）に示すように、電力用端子４０の接続部４３をハウジング２０の前面２５の端子台３５から規定長さＬだけ突出させ、端子台３５から突出した部分を接続端部４３ａとする。
【００４６】
（端子切断工程）
その後、ハウジング２０に組付けた電力用端子４０のうちのいずれかをアンテナ用端子５０とする。具体的には、アンテナ用端子５０とする電力用端子４０に対して、ハウジング２０の前面２５の端子台３５から突出した接続部４３を、端子台３５の端面において切断する。すると、この電力用端子４０は、その接続部４３の接続端部４３ａとなる一部が除去され、アンテナ用端子５０となる。
【００４７】
上記工程により、無線通信のためのアンテナの機能を備えたコネクタ１０を容易に製造することができる。なお、ハウジング２０に対する電力用端子４０及び信号用端子６０の組付け順は、上記の例に限らない。
【００４８】
以上、説明したように、本実施形態に係るコネクタ１０の製造方法によれば、作製した共通の電力用端子４０をハウジング２０に組付け、少なくとも一つの電力用端子４０の接続部４３の先端部を切断してアンテナ用端子５０とする。したがって、作製する端子の共通化により、例えば、端子を加工するための金型を共通化して製造コストを削減することができる。そして、この製造方法で製造されたコネクタ１０では、別個に作製したアンテナを備える場合と比べて、構造の簡略化及び組立作業性を向上させることができる。また、アンテナ用端子５０は、他の電力用端子４０よりも短い接続部５３を有するので、他の不使用の電力用端子４０に外部から電線を接続し送信電波の強度を上げるという行為を抑制できる。
【００４９】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５０】
例えば、上記実施形態では、電力用端子４０の接続部４３の一部を除去することでアンテナ用端子５０としたが、アンテナ用端子５０の元となる端子は電力用端子４０に限らない。
【００５１】
ここで、上述した本発明の実施形態に係るコネクタ及びコネクタの製造方法の特徴をそれぞれ以下［１］〜［４］に簡潔に纏めて列記する。
［１］  プリント回路基板（１）に実装され相手側コネクタに接続されるコネクタ（１０）であって、
前記プリント回路基板（１）に固定され前記プリント回路基板（１）に対して平行となる複数の端子挿通孔（電力用端子挿通孔３１）が並列に形成されたハウジング（２０）と、
前記端子挿通孔（電力用端子挿通孔３１）に挿し込まれて前記ハウジング（２０）に支持される接続部（４３）を有し、前記ハウジング（２０）の前記相手側コネクタとの接続側と反対側に前記プリント回路基板（１）に配線される脚部（４１）が形成された複数のＬ字状の端子（電力用端子４０）と、
を備え、
前記端子（電力用端子４０）のうちの少なくとも一つは、前記接続部（４３）の長さが前記相手側コネクタに接続される端子の前記接続部（４３）の長さよりも短くされたアンテナ用端子（５０）とされている
ことを特徴とするコネクタ。
［２］  前記端子（電力用端子４０）は、前記接続部（４３）が前記ハウジング（２０）における前記相手側コネクタとの接続面（前面２５）から延在する接続端部（４３ａ）を有し、
前記アンテナ用端子（５０）は、前記接続部（５３）が前記ハウジング（２０）における前記相手側コネクタとの接続側へ延在することなく前記ハウジング（２０）に支持されている
ことを特徴とする［１］に記載のコネクタ。
［３］  前記ハウジング（２０）の前記端子挿通孔（電力用端子挿通孔３１）は、前記アンテナ用端子（５０）を含むいずれの前記端子（電力用端子４０）の前記接続部（４３）が挿し込み可能とされている
ことを特徴とする［１］または［２］に記載のコネクタ。
［４］  導電性金属材料からなる棒状体（端子用棒体４０Ａ）を屈曲させて接続部（４３）と脚部（４１）とを有する複数の端子（電力用端子４０）を形成する端子作製工程と、
前記接続部（４３）を挿し込み可能な複数の端子挿通孔（電力用端子挿通孔３１）が並列に形成されたハウジング（２０）に対して、前記端子（電力用端子４０）の前記脚部（４１）を同一方向に揃えて前記端子（電力用端子４０）の前記接続部（４３）を前記端子挿通孔（電力用端子挿通孔３１）に同一方向へ向かって挿し込み、前記接続部（４３）の先端側を前記ハウジング（２０）から突出させる端子組付け工程と、
少なくとも一つの前記端子（電力用端子４０）における前記ハウジング（２０）から突出した前記接続部（４３）の先端側を切断してアンテナ用端子（５０）とする端子切断工程と、
を含む
ことを特徴とするコネクタの製造方法。
【符号の説明】
【００５２】
１  プリント回路基板
１０  コネクタ
２０  ハウジング
３１  電力用端子挿通孔（端子挿通孔）
４０  電力用端子（端子）
４０Ａ  棒状体
４１，５１  脚部
４３，５３  接続部
４３ａ，５３ａ  接続端部
５０  アンテナ用端子
【図１】
2020161373.tif 000003
【図２】
2020161373.tif 000004
【図３】
2020161373.tif 000005
【図４】
2020161373.tif 000006
【図５】
2020161373.tif 000007
【図６】
2020161373.tif 000008
【図７】
2020161373.tif 000009
【図８】
2020161373.tif 000010
【図９】
2020161373.tif 000011
【図１０】
2020161373.tif 000012